(57)【要約】【課題】振動を受けても、浴槽内の湯が浴槽外に流出しにくい浴槽を提供する。【解決手段】浴槽１は、底面２と内側面３とを有する。内側面３は、底面２の周囲に形成されている。浴槽１は、内側面３より浴槽内側に緩衝壁４を備える。緩衝壁４は、内側面３と対向して離間する壁である。緩衝壁４の下端４１は、底面２との間に隙間４２を有する。緩衝壁４の上端４３は、内側面３の上縁３１より低く設定され、その内側面３との間に開口４４を有する。これにより、緩衝壁４を越えた波が、緩衝壁４と内側面３との間を上昇する水面を上から抑え込む。【選択図】図２
2018090077.tif 000002
【特許請求の範囲】
【請求項１】
底面と、その底面の周囲に形成された内側面とを内側に有する浴槽であって、
前記内側面より浴槽内側に緩衝壁を備え、
前記緩衝壁は、前記内側面と対向して離間する壁であり、
前記緩衝壁の下端は、前記底面との間に隙間を有し、
前記緩衝壁の上端は、前記内側面の上縁より低く設定され、その内側面との間に開口を有することを特徴とする浴槽。
【請求項２】
前記内側面より浴槽内側に略鉛直の消波壁を備え、
前記消波壁は、前記内側面と対向して離間する壁であり、複数の貫通孔を有し、
前記消波壁の上端は、前記内側面の上縁より低く設定され、前記内側面との間に開口を有することを特徴とする請求項１に記載の浴槽。
【請求項３】
前記消波壁は、前記各々の貫通孔の周縁から前記内側面に向けて延びる筒部を有し、
前記筒部は、その先端が前記内側面から離れていることを特徴とする請求項２に記載の浴槽。
【請求項４】
前記消波壁は、足側の前記内側面に対向して設けられ、
前記緩衝壁は、それ以外の前記内側面に対向して設けられることを特徴とする請求項２又は請求項３に記載の浴槽。
【請求項５】
前記内側面の上縁に浴槽内側に張り出した波返し縁を有することを特徴とする請求項１乃至請求項４のいずれか一項に記載の浴槽。
【請求項６】
前記波返し縁の一部の上に浴槽内側に延出した板状部材が設けられていることを特徴とする請求項５に記載の浴槽。
【発明の詳細な説明】
【技術分野】
【０００１】
本発明は、浴槽、特に、鉄道車両等の輸送用設備に搭載される浴槽に関する。
【背景技術】
【０００２】
入浴用の浴槽は、建物内又は建物の近くに設けられ、動かないことが一般的である。浴槽を移動可能にしたものとしては、移動入浴車が知られている（例えば、特許文献１参照）。移動入浴車は、ワンボックス車の荷室の内部に、浴槽、貯水タンク、ボイラー、ポンプ等の入浴用設備機器を搭載している。訪問入浴介護において、移動入浴車に搭載された浴槽等の入浴用設備機器を訪問先の住宅に運び込み、入浴者を入浴させている。したがって、訪問入浴介護においては、浴槽は、入浴中には移動しない。
【０００３】
旅行においては、移動中に入浴するニーズが高まっており、そのニーズに応えることができれば、旅行の魅力が向上する。しかし、鉄道車両等の輸送用設備に浴槽を搭載すると、輸送用設備の移動時に発生する振動によって、浴槽内の湯が揺れて、浴槽外に流出する。輸送用設備は、移動中に地上から水を供給することができず、浴槽への給湯量が限られるため、浴槽の搭載は困難であった。
【０００４】
従来から、浴槽からあふれた湯を回収する装置が知られている（例えば、特許文献２参照）。しかし、このような装置は、輸送用設備に搭載する場合には、浴槽の全周からあふれる湯を回収して浴槽に還流させる必要があるので、装置が大掛かりになり、輸送用設備に搭載することは容易ではない。
【０００５】
浴槽外への湯の流出防止を図った浴槽として、浴槽開口部を内側に波返し状湾曲形状とした介護用浴槽が知られている（特許文献３参照）。この介護用浴槽は、入浴中に生じる湯の波動やうねり・跳びはねにより浴槽内の湯が浴槽外に流出することを防止している。しかし、このような対策は、浴槽自体は動かないことを前提としており、浴槽が振動することに対する湯の流出防止としては十分ではない。
【０００６】
フラスコ内の試料を加熱しながら撹拌するための液槽において、液槽内の液体（熱媒）の波立ちや飛散の防止を図ったものが知られている（特許文献４参照）。この液槽は、網又は小孔を有する板が槽内周縁部に隣接して設けられている（実用新案登録請求の範囲及び図−１乃至図６参照）。しかし、もし、このような網等を入浴用の浴槽に設けると、浴槽内の入浴者の体（胴体）が網等に触れるので、肌ざわりが著しく良くない。
【０００７】
図１０に示すように、内側面３の傾斜が緩やかな形状の浴槽では、矢印で示すように、浴槽内の湯が内側面３を上がって行き易い。このため、浴槽の内側面を全て鉛直にすることによって内側面を湯が上がって行くことを抑制する対策がある。しかし、このような対策では、浴槽のデザインを著しく制約する。また、浴槽の内側面を全て鉛直にすると、入浴者が浴槽内で内側面に斜めにもたれることが難しくなる。
【先行技術文献】
【特許文献】
【０００８】
【特許文献１】特開２００３−１２７７５０号公報
【特許文献２】特開平１０−２２５３９２号公報
【特許文献３】特開平１１−１７８８８０号公報
【特許文献４】実開昭６１−６７８４０号公報
【発明の概要】
【発明が解決しようとする課題】
【０００９】
本発明は、上記問題を解決するものであり、振動を受けても、浴槽内の湯が浴槽外に流出しにくい浴槽を提供することを目的とする。
【課題を解決するための手段】
【００１０】
本発明の浴槽は、底面と、その底面の周囲に形成された内側面とを内側に有するものであって、前記内側面より浴槽内側に緩衝壁を備え、前記緩衝壁は、前記内側面と対向して離間する壁であり、前記緩衝壁の下端は、前記底面との間に隙間を有し、前記緩衝壁の上端は、前記内側面の上縁より低く設定され、その内側面との間に開口を有することを特徴とする。
【００１１】
この浴槽において、前記内側面より浴槽内側に略鉛直の消波壁を備え、前記消波壁は、前記内側面と対向して離間する壁であり、複数の貫通孔を有し、前記消波壁の上端は、前記内側面の上縁より低く設定され、前記内側面との間に開口を有することが好ましい。
【００１２】
この浴槽において、前記消波壁は、前記各々の貫通孔の周縁から前記内側面に向けて延びる筒部を有し、前記筒部は、その先端が前記内側面から離れていることが好ましい。
【００１３】
この浴槽において、前記消波壁は、足側の前記内側面に対向して設けられ、前記緩衝壁は、それ以外の前記内側面に対向して設けられることが好ましい。
【００１４】
この浴槽において、前記内側面の上縁に浴槽内側に張り出した波返し縁を有することが好ましい。
【００１５】
この浴槽において、前記波返し縁の一部の上に浴槽内側に延出した板状部材が設けられていることが好ましい。
【発明の効果】
【００１６】
本発明の浴槽によれば、浴槽の内側面と対向して離間する緩衝壁を有するので、浴槽が振動を受けても、緩衝壁を越えた波が、緩衝壁と内側面との間を上昇する水面を上から抑え込み、浴槽内の湯が浴槽外に流出することが防がれる。
【図面の簡単な説明】
【００１７】
【図１】本発明の一実施形態に係る浴槽の平面図。
【図２】同浴槽を側方から見た断面図。
【図３】同浴槽内から体側（頭側）を見た断面図（図１のＡ−Ａ線断面図）。
【図４】同浴槽内から足側を見た断面図（図１のＢ−Ｂ線断面図）。
【図５】同浴槽の緩衝壁の内側面への取り付け方を説明する図。
【図６】同浴槽の緩衝壁近傍の断面図（図２の右側の部分断面図）。
【図７】同浴槽の消波壁近傍の断面図（図２の左側の部分断面図）。
【図８】同浴槽の波返し縁近傍の断面図（図２の右側の部分断面図）。
【図９】同浴槽の板状部材近傍の断面図（図２の左側の部分断面図）。
【図１０】従来の浴槽を側方から見た断面図。
【発明を実施するための形態】
【００１８】
本発明の一実施形態に係る浴槽を図１乃至図７を参照して説明する。図１及び図２に示すように、浴槽１は、底面２と内側面３とを有する。内側面３は、底面２の周囲に形成されている。なお、側面視で内側面３の傾斜が非対称の場合、入浴者は、通常、頭及び胴体を傾斜が緩やかな側（図１及び図２の右側）、足を傾斜が急な側（図１及び図２の左側）に向けて浴槽１に入るので、内側面３の傾斜が緩やかな側は、頭側又は体側、その反対側は、足側と呼ばれる。なお、側面視で内側面の傾斜が対称の場合、オーバーフロー管が設けられている側が足側である。
【００１９】
この浴槽１は、内側面３より浴槽内側に緩衝壁４を備える（図２参照）。緩衝壁４は、内側面３と対向して離間する壁である。図３に示すように、緩衝壁４の下端４１は、底面２との間に隙間４２を有する。緩衝壁４の上端４３は、内側面３の上縁３１より低く設定され、その内側面３との間に開口４４を有する。
【００２０】
浴槽１は、浴槽内側に略鉛直の消波壁５を備える。消波壁５は、内側面３と対向して離間する壁である。図４に示すように、消波壁５は、複数の貫通孔５１を有する。消波壁の上端５２は、内側面の上縁３１より低く設定され、内側面３との間に開口５３を有する。
【００２１】
消波壁５は、各々の貫通孔５１の周縁から内側面３に向けて延びる筒部５４を有する。筒部５４は、その先端が内側面３から離れている。
【００２２】
消波壁５は、足側の内側面３に対向して設けられる。緩衝壁４は、それ以外の内側面３に対向して設けられる。
【００２３】
浴槽１は、内側面３の上縁に波返し縁６を有する。波返し縁６は、浴槽内側に張り出している。
【００２４】
浴槽１は、波返し縁６の一部の上に板状部材７が設けられている。板状部材７は、浴槽内側に延出している。
【００２５】
浴槽１の各構成をさらに詳述する。本実施形態では、浴槽１は、内側面３の傾斜が緩やかな欧風タイプの浴槽形状を有する。特に体側（図２の右側）の内側面３の傾斜が緩やかとなっている。底面２には、排水口２１及び排水せん２２が設けられている。足側の内側面３には、オーバーフロー管３２が設けられている。
【００２６】
浴槽１は、内側面３と緩衝壁４とによって二重壁となっている。すなわち、緩衝壁４は、内側面３に対応した形状の壁である。緩衝壁４の浴槽内側の面は、平滑である。緩衝壁４の上端４３は、オーバーフロー管３２と高さを合わせている。平面視で全周にわたって緩衝壁４を設けてもよいが、本実施形態では、消波壁５を設けた箇所では緩衝壁４を省略し、緩衝壁４と消波壁５とを一体としている。すなわち、全周の内側面３は、それに対向して緩衝壁４又は消波壁５の少なくともいずれかが設けられる。緩衝壁４及び消波壁５は、例えば、合成樹脂を成形して作られる。
【００２７】
図５に示すように、浴槽１の内側面３には、ガイド３３が固定されている。ガイド３３は、上下方向に長い略直方体で、上下方向の案内溝が形成されている。緩衝壁４は、ガイド３３の案内溝に対応する凸部４５を外周面に有する。緩衝壁４の凸部４５とガイド３３の案内溝が係合することによって、緩衝壁４が内側面３に保持される。ガイド３３は、内側面３と緩衝壁４との間のスペーサとしても機能する。また、ガイド３３は、内側面３と緩衝壁４との間の周方向の流れを阻害することによって、湯水が回り込んで浴槽コーナー部に集中することを抑制する。
【００２８】
消波壁５には、複数の貫通孔５１が千鳥状に配置されている（図４参照）。貫通孔５１の形状は、円である。筒部５４は、円筒である。貫通孔５１は、スリット状等の円以外の形状でもよい。本実施形態のように、欧風タイプの浴槽の場合、浴槽１の上面は、足側が低くデザインされたものが多い。そのような浴槽１では、足側が体側に比べて湯が流出しやすい。このため、消波壁５は、浴槽１の足側に設けられる。消波壁５は、複数の貫通孔５１を有するが、足側に設けられるので、入浴者の胴体に触れず、浴槽１の肌触りを損なわない。本実施形態では、緩衝壁４と同様に、消波壁５の下端は、底面２との間に隙間を有する。
【００２９】
波返し縁６は、内側面３を上昇する波に対して、湯の流出を抑制する張り出し部であり、内側面３の上縁３１、すなわち浴槽１上部の縁に全周にわたって設けられる（図１及び図２参照）。
【００３０】
板状部材７は、波返し縁６と同じ機能を有し、浴槽１の一部を蓋のように覆うので、波抑え蓋と呼ばれる。前述したように、足側が低い浴槽１では、足側が体側に比べて湯が流出しやすい。このため、板状部材７は、波返し縁６より幅が広く形成され、足側に設けられる。また、板状部材７は、その上に入浴中に使用する物を置くことができるようにデザインされる。なお、板状部材７の下側は、波返し縁６を省略してもよい。また、波返し縁６と板状部材７とを一体に形成してもよい。
【００３１】
上記のように構成された浴槽１は、鉄道車両等に搭載され、湯（水）が入った状態で振動を受ける。図６に示すように、浴槽１の振動によって上昇する水面は、緩衝壁４と内側面３との間の緩衝ゾーン４６の方が、緩衝壁４の表面よりもわずかに遅くなる。このため、緩衝壁４を越えた波ｗ１が、緩衝ゾーン４６に流れ込み、緩衝ゾーン４６を内側面３に沿って上昇する水面ｗ２を上から抑え込むので、浴槽内の湯が浴槽外に流出することが防がれる。
【００３２】
図７に示すように、消波壁５の貫通孔５１を通過した水ｗ３は、内側面３との間でぶつかり合うので、水の運動エネルギーが消耗する。また、消波壁５を越えた波ｗ４は、内側面３に沿って上昇する水面ｗ５を上から抑え込む。このため、浴槽内の湯が浴槽外に流出することが防がれる。また、内側面３に沿って浴槽１側に流れる水流を、消波壁５の内側面３との間に千鳥に配置した筒部５４が阻害することで水流のエネルギーを消耗させ、上方の流れを抑制する。なお、複数の筒部５４の長さを同一でないように設定することにより、筒部５４を通過した水ｗ３の流れがランダムとなり、水流のエネルギーが一層消耗する。
【００３３】
図８に示すように、波返し縁６は、内側面３に沿って上昇する水ｗ６を下方に誘導するので、浴槽内の湯が浴槽外に流出することが防がれる。
【００３４】
図９に示すように、板状部材７（波返し蓋）は、内側面３に沿って上昇する水ｗ７を抑え込むので、浴槽内の湯が浴槽外に流出することが防がれる。
【００３５】
浴槽１を鉄道車両に搭載した場合の対策効果を評価するため、実際の鉄道車両（キハ１８９系気動車）の走行時に得られた振動データに基づき、地上試験機で鉄道車両の振動を再現して評価した。緩衝壁４と消波壁５は、一体とせず、別々に作成した。
【００３６】
先ず、比較例として、対策無し、すなわち、緩衝壁４、消波壁５、波返し縁６及び板状部材７を取り付けない浴槽を地上試験機で振動させた。浴槽内の水は、オーバーフローした（浴槽外に流出した）。
【実施例１】
【００３７】
波返し縁６及び板状部材７（波返し蓋）のみを浴槽に取り付け、それ以外は比較例と同じ条件にした。浴槽内の水は、波返し縁６及び板状部材７ぎりぎりまで上昇し、オーバーフローと思われる水滴が内側面３の上縁３１に付いた。なお、波返し縁６は、以下の全て実施例において取り付けた。
【実施例２】
【００３８】
さらに浴槽の足側に消波壁５を浴槽に取り付け、それ以外は実施例１と同じ条件にした。消波壁５は、丸い貫通孔５１を２２個有するものとした。オーバーフローは無かった。
【実施例３】
【００３９】
消波壁５を、丸い貫通孔５１を４４個有するものに交換し、それ以外は実施例２と同じ条件にした。浴槽の波は大きく、横波の収まりが遅かった。オーバーフローは無かった。
【実施例４】
【００４０】
消波壁５を、スリット状の貫通孔５１を３列有するものに交換し、それ以外は実施例３と同じ条件にした。浴槽の頭側右側からわずかにオーバーフローがあった。この消波壁は、丸い貫通孔を有する消波壁より効果が低いことがわかった。
【実施例５】
【００４１】
消波壁５を、スリット状の貫通孔５１を５列有するものに交換し、それ以外は実施例４と同じ条件にした。浴槽の頭側ぎりぎりまで水が上昇した。
【実施例６】
【００４２】
板状部材７を取り外し、波返し縁６及び緩衝壁４を浴槽に取り付け、それ以外は実施例５と同じ条件にした。すなわち、足側の消波壁５は取り付けた状態とした。浴槽内の水面は波返し縁６まで達せず、緩衝壁４の効果が大きいことがわかった。
【実施例７】
【００４３】
入浴者を模擬するため、さらに浴槽内にマネキンを入れ、それ以外は実施例６と同じ条件にした。マネキンの周辺の波が実施例６より多少高いが、波返し縁６まで波が達しなかった。
【００４４】
なお、本発明は、上記の実施形態の構成に限られず、発明の要旨を変更しない範囲で種々の変形が可能である。例えば、浴槽１の内側面３は、鉛直であってもよい。
【符号の説明】
【００４５】
１  浴槽
２  底面
３  内側面
３１  内側面の上縁
４  緩衝壁
４１  緩衝壁の下端
４２  隙間
４３  緩衝壁の上端
４４  開口
５  消波壁
５１  貫通孔
５２  消波壁の上端
５３  開口
５４  筒部
６  波返し縁
７  板状部材（波返し蓋）
【図１】
2018090077.tif 000003
【図２】
2018090077.tif 000004
【図３】
2018090077.tif 000005
【図４】
2018090077.tif 000006
【図５】
2018090077.tif 000007
【図６】
2018090077.tif 000008
【図７】
2018090077.tif 000009
【図８】
2018090077.tif 000010
【図９】
2018090077.tif 000011
【図１０】
2018090077.tif 000012